(57)【要約】【課題】ディスプレイパネルに用いるゲートドライバを提供する。【解決手段】バックアップシフトレジスタモジュールは、少なくとも二つのバックアップシフトレジスタからなり、故障メインシフトレジスタを修復する。第一常開接続リンクは、第一バックアップシフトレジスタの入力端とメインシフトレジスタ中の全奇数シフトレジスタの入力端間に設置され、第二常開接続リンクは第一バックアップシフトレジスタの出力端と全偶数シフトレジスタの入力端間に設置される。第三常開接続リンクは第二バックアップシフトレジスタの入力端と全偶数シフトレジスタの入力端間に設置され、第四常開接続リンクは第二バックアップシフトレジスタの出力端と全奇数シフトレジスタの入力端間に設置される。【選択図】図３
2007114761.tif 000002
【特許請求の範囲】
【請求項１】
ディスプレイパネルに適用されるゲートドライバであって、
Ｎ個の複数のシフトレジスタを有し、前記Ｎは１以上の整数であり、前記シフトレジスタのそれぞれは、入力端と出力端とを有し、且つ、前記シフトレジスタは縦列リンクに接続され、第Ｋ番目の前記シフトレジスタであるシフトレジスタＫの入力端は該シフトレジスタＫの前の順番のシフトレジスタであるシフトレジスタ（Ｋ−１）の出力端に接続され、前記ＫはＮより小さい正の整数である前記各シフトレジスタを含むメインシフトレジスタモジュールと、少なくとも第一バックアップシフトレジスタと第二バックアップシフトレジスタを有するバックアップシフトレジスタモジュールと、からなり、
前記Ｎ個からなる複数のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、
前記シフトレジスタｉの入力端と前記第一バックアップシフトレジスタの入力端との間に設置される第一常開接続リンクと、
前記シフトレジスタｉの次の順番の第（ｉ＋１）番目のシフトレジスタ（ｉ＋１）の入力端と前記第一バックアップシフトレジスタの出力端との間に設置される第二常開接続リンクと、
前記Ｎシフトレジスタ中の各シフトレジスタｊは、前記Ｎが奇数の時、前記ｊは２から（Ｎ−１）の偶数の正の整数で、前記Ｎが偶数の時、前記ｊは２からＮの偶数の正の整数で、
前記シフトレジスタｊの入力端と前記第二バックアップシフトレジスタの入力端との間に設置される第三常開接続リンクと、
前記シフトレジスタ（ｊ＋１）の入力端と前記第二バックアップシフトレジスタの出力端との間に設置される第四常開接続リンクと、からなり、
前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の第二常開接続リンクが接続し、シフトレジスタｉの入力端と出力端とが前記縦列リンクから切断され、
前記シフトレジスタｊが故障した場合、前記シフトレジスタｊの入力端と前記第二バックアップシフトレジスタの入力端との間の前記第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断されることを特徴とするゲートドライバ。
【請求項２】
前記バックアップシフトレジスタモジュールは、少なくとも１つの奇数番号付けされたバックアップシフトレジスタと、少なくとも１つの偶数番号付けされたバックアップシフトレジスタとを有し、前記第一バックアップシフトレジスタは、前記奇数番号付けされたバックアップシフトレジスタを有し、前記第二バックアップシフトレジスタは、前記偶数番号付けされたバックアップシフトレジスタを有する請求項１に記載のゲートドライバ。
【請求項３】
前記バックアップシフトレジスタモジュールは、更に、複数の奇数番号付けされたバックアップシフトレジスタ及び複数の偶数番号付けされたバックアップシフトレジスタを有し、前記第一バックアップシフトレジスタは、前記奇数番号付けされたバックアップシフトレジスタを有し、前記第二バックアップシフトレジスタは、前記偶数番号付けされたバックアップシフトレジスタを有する請求項１に記載のゲートドライバ。
【請求項４】
更に、第一パルス信号と第二パルス信号とを提供し、前記第二パルス信号は前記第一パルス信号の１８０°後の位相である制御バスを有し、
前記第一バックアップシフトレジスタ及び前記シフトレジスタｉは第一クロック信号端と第二クロック信号端とを有し、前記第一バックアップシフトレジスタ及び前記シフトレジスタｉの前記第一クロック信号端は、それぞれ、前記第一パルス信号に接続され、前記第一バックアップシフトレジスタ及び前記シフトレジスタｉの前記第二クロック信号端は、それぞれ、前記第二パルス信号に接続され、前記第一バックアップシフトレジスタが、前記シフトレジスタｉを置き換えることができ、
前記第二バックアップシフトレジスタ及び前記シフトレジスタｊは第一クロック信号端と第二クロック信号端とを有し、前記第二バックアップシフトレジスタ及び前記シフトレジスタｊの前記第一クロック信号端は、それぞれ、前記第二パルス信号に接続され、前記第二バックアップシフトレジスタ及び前記シフトレジスタｊの前記第二クロック信号端は、それぞれ、前記第一パルス信号に接続され、前記第二バックアップシフトレジスタが、前記シフトレジスタｊを置き換えることができる請求項２に記載のゲートドライバ。
【請求項５】
ディスプレイパネルに適用されるゲートドライバの修復方法であって、前記ゲートドライバは、Ｎ個の複数のシフトレジスタを含むシフトレジスタモジュールからなり、前記Ｎは１以上の整数で、前記シフトレジスタのそれぞれは、入力端と出力端とを有し、且つ、前記シフトレジスタは縦列リンクに接続され、第Ｋ番目の前記シフトレジスタであるシフトレジスタＫの入力端は、該シフトレジスタＫの１つ前の順番のシフトレジスタであるシフトレジスタ（Ｋ−１）の出力端に接続され、前記Ｋは前記Ｎより小さい正の整数であり、前記ゲートドライバの修復方法は、
バックアップシフトレジスタモジュールと前記シフトレジスタモジュールとを接続し、前記バックアップシフトレジスタモジュールは、少なくとも第一バックアップシフトレジスタと第二バックアップシフトレジスタとを有し、前記Ｎ個のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、
前記シフトレジスタｉの入力端と前記第一バックアップシフトレジスタの入力端との間に設置される第一常開接続リンクと、
前記シフトレジスタｉの次の順番の（ｉ＋１）番目のシフトレジスタ（ｉ＋１）の入力端と前記第一バックアップシフトレジスタの出力端との間に設置される第二常開接続リンクと、
前記Ｎ個のシフトレジスタ中の各シフトレジスタｊは、前記Ｎが奇数の時、前記ｉは２から（Ｎ−１）の偶数の正の整数で、前記Ｎが偶数の時、前記ｊは２からＮの偶数の正の整数で、
前記シフトレジスタｊの入力端と前記第二バックアップシフトレジスタの入力端との間に設置される第三常開接続リンクと、
前記シフトレジスタｊの次の順番の（ｊ＋１）番目のシフトレジスタ（ｊ＋１）の入力端と前記第二バックアップシフトレジスタの出力端との間に設置される第四常開接続リンクと、からなり、
前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の前記第二常開接続リンクが接続し、前記シフトレジスタｉの入力端と出力端とが前記縦列リンクから切断され、
前記シフトレジスタｊが故障した場合、前記シフトレジスタｊの入力端と前記第二バックアップシフトレジスタの入力端との間の前記第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断されることを特徴とするゲートドライバの修復方法。
【請求項６】
前記バックアップシフトレジスタモジュールは、更に、少なくとも奇数番号付けされたバックアップシフトレジスタと偶数番号付けされたバックアップシフトレジスタとを有し、前記第一バックアップシフトレジスタは前記奇数番号付けされたバックアップシフトレジスタを有し、前記第二バックアップシフトレジスタは前記偶数番号付けされたバックアップシフトレジスタを有する請求項５に記載のゲートドライバの修復方法。  
【請求項７】
前記バックアップシフトレジスタモジュールは、更に、複数の奇数番号付けされたバックアップシフトレジスタ及び複数の偶数番号付けされたバックアップシフトレジスタを有し、前記第一バックアップシフトレジスタは前記奇数番号付けされたバックアップシフトレジスタを有し、前記第二バックアップシフトレジスタは前記偶数番号付けされたバックアップシフトレジスタを有する請求項５に記載のゲートドライバの修復方法。
【請求項８】
前記ゲートドライバは、更に、第一パルス信号と第二パルス信号を提供し、前記第二パルス信号は前記第一パルス信号の１８０°後の位相である制御バスを有し、
前記第一バックアップシフトレジスタ及び前記シフトレジスタｉは第一クロック信号端と第二クロック信号端とを有し、前記第一クロック信号端は前記第一パルス信号に接続され、前記第二クロック信号端は前記第二パルス信号に接続され、前記第一バックアップシフトレジスタが、前記シフトレジスタｉを置き換えることができ、
前記第二バックアップシフトレジスタ及び前記シフトレジスタｊは第一クロック信号端と第二クロック信号端とを有し、前記第一クロック信号端は前記第二パルス信号に接続され、第二クロック信号端は前記第一パルス信号に接続され、前記第二バックアップシフトレジスタが、前記シフトレジスタｊを置き換えることができる請求項６に記載のゲートドライバの修復方法。  
【請求項９】
ディスプレイパネルであって、
複数の画素からなる画素の二次元配列と、前記画素に接続される複数のゲートラインを有し、前記ゲートラインが制御信号を前記画素中に提供するディスプレイモジュールと、
前記ディスプレイモジュールに設置され、それぞれが複数の信号線を有し、前記ゲートライン中の数本に連接されるゲートラインと、からなり、前記ゲートライン中の少なくとも数個のゲートドライバは、
Ｎ個の複数のシフトレジスタを含むシフトレジスタモジュールからなり、前記Ｎは１以上の整数で、前記シフトレジスタのそれぞれは、入力端と出力端とを有し、且つ、前記シフトレジスタは縦列リンクに接続され、第Ｋ番目の前記シフトレジスタであるシフトレジスタＫの入力端は、
該シフトレジスタＫの１つ前の順番のシフトレジスタであるシフトレジスタ（Ｋ−１）の出力端に接続され、前記Ｋは前記Ｎより小さい正の整数であるメインシフトレジスタモジュールと、
少なくとも第一バックアップシフトレジスタと第二バックアップシフトレジスタとを有するバックアップシフトレジスタモジュールと、からなり、
前記Ｎ個のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、
前記シフトレジスタｉの入力端と前記第一バックアップシフトレジスタの入力端との間に設置される第一常開接続リンクと、
前記シフトレジスタｉの次の順番の（ｉ＋１）番目のシフトレジスタ（ｉ＋１）の入力端と前記第一バックアップシフトレジスタの出力端との間に設置される第二常開接続リンクと、
前記Ｎ個のシフトレジスタ中の各シフトレジスタｊは、前記Ｎが奇数の時、前記ｊは２から（Ｎ−１）の偶数の正の整数であり、前記Ｎが偶数の時、前記ｊは２からＮの偶数の正の整数で、
前記シフトレジスタｊの入力端と前記第二バックアップシフトレジスタの入力端との間に設置される第三常開接続リンクと、
前記シフトレジスタｊの次の順番の（ｊ＋１）番目のシフトレジスタ（ｊ＋１）の入力端と前記第二バックアップシフトレジスタの出力端との間に設置される第四常開接続リンクと、からなり、
前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の前記第二常開接続リンクが接続し、前記シフトレジスタｉの入力端と出力端とは前記縦列リンクから切断され、
前記シフトレジスタｊが故障した場合、前記シフトレジスタｊの入力端と前記第二バックアップシフトレジスタの入力端との間の第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断されることを特徴とするディスプレイパネル。
【請求項１０】
前記バックアップシフトレジスタモジュールは、更に、少なくとも奇数番号付けされたバックアップシフトレジスタと偶数番号付けされたバックアップシフトレジスタを有し、前記第一バックアップシフトレジスタは前記奇数番号付けされたバックアップシフトレジスタを有し、前記第二バックアップシフトレジスタは前記偶数番号付けされたバックアップシフトレジスタを有する請求項９に記載のディスプレイパネル。
【請求項１１】
前記バックアップシフトレジスタモジュールは、更に、複数の奇数番号付けされたバックアップシフトレジスタ及び複数の偶数番号付けされたバックアップシフトレジスタを有し、前記第一バックアップシフトレジスタは前記奇数番号付けされたバックアップシフトレジスタを有し、前記第二バックアップシフトレジスタは前記偶数番号付けされたバックアップシフトレジスタを有する請求項９に記載のディスプレイパネル。
【請求項１２】
更に、第一パルス信号と第二パルス信号とを提供し、前記第二パルス信号は前記第一パルス信号の１８０°後の位相である制御バスを有し、
前記第一バックアップシフトレジスタ及び前記シフトレジスタｉは第一クロック信号端と第二クロック信号端とを有し、前記第一クロック信号端は前記第一パルス信号に接続され、前記第二クロック信号端は前記第二パルス信号に接続され、前記第一バックアップシフトレジスタが、前記シフトレジスタｉを置き換えることができ、
前記第二バックアップシフトレジスタ及び前記シフトレジスタｊは第一クロック信号端と第二クロック信号端とを有し、前記第一クロック信号端は前記第二パルス信号に接続され、前記第二クロック信号端は前記第一パルス信号に接続され、前記第二バックアップシフトレジスタが、前記シフトレジスタｊを置き換えることができる請求項１０に記載のディスプレイパネル。  
【請求項１３】
前記ゲートドライバはアモルファスシリコンから形成される請求項９に記載のディスプレイパネル。
【請求項１４】
更に、基板を有し、前記画素と前記ゲートドライバとは前記基板上に形成される請求項９に記載のディスプレイパネル。
【発明の詳細な説明】
【技術分野】
【０００１】
本発明はフラットパネル（ｆｌａｔ  ｐａｎｅｌ）液晶ディスプレイに関するものであって、特に、液晶ディスプレイパネルに用いるゲートドライバに関するものである。
【背景技術】
【０００２】
従来技術として、薄膜トランジスタ液晶ディスプレイ（以下、ＴＦＴ―ＬＣＤと略す）パネルが知られている。図１は、従来のＴＦＴ―ＬＣＤパネル１０を示す図で、ディスプレイモジュール２０からなり、二次元配列された複数の画素２１を有する。これらの画素は、複数のデータライン（ｄａｔａ  ｌｉｎｅ；図１におけるディスプレイモジュール２０内へ配線される縦もしくは垂直方向のライン）Ｄ１〜Ｄｎ、及び、複数のゲートライン（ｇａｔｅ  ｌｉｎｅ；図１におけるディスプレイモジュール２０内へ配線される横もしくは水平方向のライン）Ｇ１〜Ｇｍにより制御される。これらのデータラインはデータソースドライバ３０に接続され、ゲートラインはゲートドライバ４０に接続される。プリント回路基板（ｐｒｉｎｔｅｄ  ｃｉｒｃｕｉｔ  ｂｏａｒｄ，ＰＣＢ）５０は、イメージ（ｉｍａｇｅ）データを電圧信号に転換するのに必要な回路を有し、制御バス５２によりデータソースドライバ３０及びゲートドライバ４０に接続される。
【０００３】
近年、アモルファスシリコンゲートドライバ（ａｍｏｒｐｈｏｕｓ  ｓｉｌｉｃｏｎ  ｇａｔｅ  ｄｒｉｖｅｒ，以下ＡＳＧＤと略す）は、画素の二次元配列をサポートする同一基板上に直接形成される集積回路（ＩＣ）として、液晶ディスプレイゲートドライバに用いられるシリコンチップゲートドライバに置き換わってきている。ＡＳＧＤの技術を応用すると、余分な素子が少なくて済むため、製造コストが抑制されるという利点がある。
【０００４】
図２ａは、従来のＡＳＧＤにおけるゲートドライバ回路中のシフトレジスタを示し、複数のシフトレジスタ（ｓｈｉｆｔ  ｒｅｇｉｓｔｅｒ，ＳＲ）を有するシフトレジスタモジュール７０からなる。各シフトレジスタは、入力端（Ｉｎ）、出力端（Ｏｕｔ）、電源端（Ｖｓ）、第一クロック信号端（Ｃｋ１）及び第二クロック信号端（Ｃｋ２）を有する。制御バス５２からの信号（図１を参照）は、負電圧Ｖｓｓ、スタートパルス信号Ｖｓｔ、クロック信号Ｖｃｋ及び逆クロック信号ｘＶｃｋを有する。逆クロック信号ｘＶｃｋの位相は、クロック信号Ｖｃｋの１８０°後の位相である。Ｖｓｓは各シフトレジスタの電圧源端（Ｖｓ）に供給される。Ｖｓｔはシフトレジスタモジュール７０の中の第１番目のシフトレジスタである第一シフトレジスタ（図２ａにおけるシフトレジスタモジュール内の最上段に配置されたＳＲ００１）の入力端（Ｉｎ）に供給される。クロック信号Ｖｃｋ及び逆クロック信号ｘＶｃｋは、それぞれ、第一クロック信号端（Ｃｋ１）及び第二クロック信号端（Ｃｋ２）に供給され、各奇数番目のシフトレジスタ（図２ａでは、ＳＲ００１及びＳＲ００３）は、Ｖｃｋ≧Ｃｋ１とｘＶｃｋ≧Ｃｋ２の方式で接続され、各偶数番目のシフトレジスタ（図２ａでは、ＳＲ００２）は、Ｖｃｋ≧Ｃｋ２とｘＶｃｋ≧Ｃｋ１の方式で接続される。シフトレジスタの出力端（Ｏｕｔ）は、ＴＦＴ−ＬＣＤの二次元配列のゲートライン（図２ａでは、ゲートライン００１、ゲートライン００２及びゲートライン００３）に接続され、各ゲートラインは画素の一列（図１参照）に接続される。
【０００５】
シフトレジスタモジュール７０中の各シフトレジスタ間は直列接続される。スタートパルス信号Ｖｓｔが第１番目のシフトレジスタＳＲ００１に到達すると、ＳＲ００１は、クロック信号Ｖｃｋに応じて、出力パルスを第１番目のゲートラインのゲートライン００１に提供する。同じ出力パルスは第２番目のシフトレジスタＳＲ００２の入力端（Ｉｎ）にも提供される。ＳＲ００２は、逆クロック信号ｘＶｃｋに基づいて、出力パルスを第２番目のゲートラインのゲートライン００２に供給する。ＳＲ００２からの出力パルスは第３番目のシフトレジスタＳＲ００３の入力端にも供給され、ＳＲ００３からの出力パルスは、パルス信号Ｖｃｋに基づいて、第３番目のゲートラインのゲートライン００３に供給される。これらの各ゲートラインは、順に、正電圧信号を受信する。奇数番号付けされたシフトレジスタ（図２ａでは、ＳＲ００１及びＳＲ００３）は、クロック信号Ｖｃｋと同時に作動し、偶数番号付けされたシフトレジスタ（図２ａでは、ＳＲ００２）は逆クロック信号ｘＶｃｋと同時に作動する。
【０００６】
図２ｂは、Ｖｃｋ、ｘＶｃｋ、Ｖｓｔとシフトレジスタ（ＳＲ００１―ＯｕｔないしＳＲ００３―Ｏｕｔ）のタイミングを示す出力の信号波形図である。
各シフトレジスタ間は直列接続されるので、シフトレジスタモジュール７０中のシフトレジスタが一つでも故障或いは作動不能になると、後続のシフトレジスタの作動が不能になる。このため、一つのシフトレジスタが故障した場合には、取り換える必要があった。しかも、ゲートドライバは画素の二次元配列をサポートする同一基板上に直接形成されるため、一つのシフトレジスタを取り換えるには、ＴＦＴ―ＬＣＤパネル全体を取り換えねばならないので、非常にコストがかかっていた。
従って、ＴＦＴ−ＬＣＤパネル中のその他の素子がまず保存もしくは確保されている状況下で、シフトレジスタモジュールを修復する方法及び装置が必要とされていた。
【発明の開示】
【発明が解決しようとする課題】
【０００７】
本発明は、ＴＦＴ−ＬＣＤパネル中のその他の素子がまず保存もしくは確保される状況下で、メインシフトレジスタモジュールを修復する方法及び装置を提供することを目的とする。
【課題を解決するための手段】
【０００８】
上述の目的を達成するために、本発明は、バックアップシフトレジスタモジュールを提供することにより、メインシフトレジスタモジュールを修復する方法を提供する。メインシフトレジスタモジュールは、直列接続された複数の奇数番号付けされたシフトレジスタ及び複数の偶数番号付けされたシフトレジスタからなる。バックアップシフトレジスタモジュールは、メインシフトレジスタモジュールをサポートする同一基板上に形成される。バックアップシフトレジスタモジュールは、第一バックアップシフトレジスタと第二バックアップシフトレジスタとからなる。
【０００９】
第一常開接続リンク（ｎｏｒｍａｌｌｙ  ｏｐｅｎ  ｃｏｎｎｅｃｔａｂｌｅ  ｌｉｎｋ）は第一バックアップシフトレジスタの入力端とメインシフトレジスタモジュール中のシフトレジスタの全ての奇数番号付けされたシフトレジスタの入力端間に設置され、第二常開接続リンクは第一バックアップシフトレジスタの出力端とメインシフトレジスタモジュール中のシフトレジスタの全ての偶数番号付けされたシフトレジスタの入力端間に設置される。同様に、第三常開接続リンクは第二バックアップシフトレジスタの入力端とメインシフトレジスタモジュール中のシフトレジスタの全ての偶数番号付けされたシフトレジスタの入力端間に設置され、第四常開接続リンクは第二バックアップシフトレジスタの出力端とメインシフトレジスタモジュール中のシフトレジスタの全ての奇数番号付けされたシフトレジスタの入力端間に設置される。
【００１０】
メインシフトレジスタモジュール中の一つの奇数番号付けされたシフトレジスタが故障（ｄｅｆｅｃｔｉｖｅ）した場合、その故障したシフトレジスタの入力端と出力端は、縦列リンクから切断される。同時に、故障したシフトレジスタの入力端と第一バックアップシフトレジスタの入力端間のリンクが互いに接続され、続く偶数番号付けされたシフトレジスタの入力端と第一バックアップシフトレジスタの出力端間のリンクも互いに接続される。同様に、メインシフトレジスタモジュール中の一つの偶数番号付けされたシフトレジスタが故障した場合、その故障したシフトレジスタの入力端と出力端は縦列リンク中から切断される。同時に、故障したシフトレジスタの入力端と第二バックアップシフトレジスタの入力端間のリンクが互いに接続され、続く奇数番号付けされたシフトレジスタの入力端と第二バックアップシフトレジスタの出力端間のリンクも互いに接続される。
【００１１】
本発明は、ディスプレイパネルに適用されるゲートドライバであって、Ｎ個の複数のシフトレジスタを有し、前記Ｎは１以上の整数であり、前記シフトレジスタのそれぞれは、入力端と出力端とを有し、且つ、前記シフトレジスタは縦列リンクに接続され、第Ｋ番目の前記シフトレジスタであるシフトレジスタＫの入力端は該シフトレジスタＫの前の順番のシフトレジスタであるシフトレジスタ（Ｋ−１）の出力端に接続され、前記ＫはＮより小さい正の整数である前記各シフトレジスタを含むメインシフトレジスタモジュールと、少なくとも第一バックアップシフトレジスタと第二バックアップシフトレジスタを有するバックアップシフトレジスタモジュールと、からなり、前記Ｎ個からなる複数のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、前記シフトレジスタｉの入力端と前記第一バックアップシフトレジスタの入力端との間に設置される第一常開接続リンクと、前記シフトレジスタｉの次の順番の第（ｉ＋１）番目のシフトレジスタ（ｉ＋１）の入力端と前記第一バックアップシフトレジスタの出力端との間に設置される第二常開接続リンクと、前記Ｎシフトレジスタ中の各シフトレジスタｊは、前記Ｎが奇数の時、前記ｊは２から（Ｎ−１）の偶数の正の整数で、前記Ｎが偶数の時、前記ｊは２からＮの偶数の正の整数で、前記シフトレジスタｊの入力端と前記第二バックアップシフトレジスタの入力端との間に設置される第三常開接続リンクと、前記シフトレジスタ（ｊ＋１）の入力端と前記第二バックアップシフトレジスタの出力端との間に設置される第四常開接続リンクと、からなり、前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の第二常開接続リンクが接続し、シフトレジスタｉの入力端と出力端とが前記縦列リンクから切断され、前記シフトレジスタｊが故障した場合、前記シフトレジスタｊの入力端と前記第二バックアップシフトレジスタの入力端との間の前記第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断されることが好ましい。
【００１２】
また、本発明のゲートドライバは、バックアップシフトレジスタモジュールが、少なくとも１つの奇数番号付けされたバックアップシフトレジスタと、少なくとも１つの偶数番号付けされたバックアップシフトレジスタとを有し、第一バックアップシフトレジスタが、奇数番号付けされたバックアップシフトレジスタを有し、第二バックアップシフトレジスタは、偶数番号付けされたバックアップシフトレジスタを有することが好ましく、また、本発明のゲートドライバは、バックアップシフトレジスタモジュールが、更に、複数の奇数番号付けされたバックアップシフトレジスタ及び複数の偶数番号付けされたバックアップシフトレジスタを有し、第一バックアップシフトレジスタが、奇数番号付けされたバックアップシフトレジスタを有し、第二バックアップシフトレジスタが、偶数番号付けされたバックアップシフトレジスタを有することが好ましい。
【００１３】
また、本発明のゲートドライバは、更に、第一パルス信号と第二パルス信号とを提供し、第二パルス信号は第一パルス信号の１８０°後の位相である制御バスを有し、第一バックアップシフトレジスタ及びシフトレジスタｉは第一クロック信号端と第二クロック信号端とを有し、第一バックアップシフトレジスタ及びシフトレジスタｉの第一クロック信号端は、それぞれ、第一パルス信号に接続され、第一バックアップシフトレジスタ及びシフトレジスタｉの第二クロック信号端は、それぞれ、第二パルス信号に接続され、第一バックアップシフトレジスタが、シフトレジスタｉを置き換えることができ、第二バックアップシフトレジスタ及びシフトレジスタｊは第一クロック信号端と第二クロック信号端とを有し、第二バックアップシフトレジスタ及びシフトレジスタｊの第一クロック信号端は、それぞれ、第二パルス信号に接続され、第二バックアップシフトレジスタ及びシフトレジスタｊの第二クロック信号端は、それぞれ、第一パルス信号に接続され、第二バックアップシフトレジスタが、シフトレジスタｊを置き換えることができることが望ましい。
【００１４】
また、本発明は、ディスプレイパネルに適用されるゲートドライバの修復方法であって、前記ゲートドライバは、Ｎ個の複数のシフトレジスタを含むシフトレジスタモジュールからなり、前記Ｎは１以上の整数で、前記シフトレジスタのそれぞれは、入力端と出力端とを有し、且つ、前記シフトレジスタは縦列リンクに接続され、第Ｋ番目の前記シフトレジスタであるシフトレジスタＫの入力端は、該シフトレジスタＫの１つ前の順番のシフトレジスタであるシフトレジスタ（Ｋ−１）の出力端に接続され、前記Ｋは前記Ｎより小さい正の整数であり、前記ゲートドライバの修復方法は、バックアップシフトレジスタモジュールと前記シフトレジスタモジュールとを接続し、前記バックアップシフトレジスタモジュールは、少なくとも第一バックアップシフトレジスタと第二バックアップシフトレジスタとを有し、前記Ｎ個のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、前記シフトレジスタｉの入力端と前記第一バックアップシフトレジスタの入力端との間に設置される第一常開接続リンクと、前記シフトレジスタｉの次の順番の（ｉ＋１）番目のシフトレジスタ（ｉ＋１）の入力端と前記第一バックアップシフトレジスタの出力端との間に設置される第二常開接続リンクと、前記Ｎ個のシフトレジスタ中の各シフトレジスタｊは、前記Ｎが奇数の時、前記ｉは２から（Ｎ−１）の偶数の正の整数で、前記Ｎが偶数の時、前記ｊは２からＮの偶数の正の整数で、前記シフトレジスタｊの入力端と前記第二バックアップシフトレジスタの入力端との間に設置される第三常開接続リンクと、前記シフトレジスタｊの次の順番の（ｊ＋１）番目のシフトレジスタ（ｊ＋１）の入力端と前記第二バックアップシフトレジスタの出力端との間に設置される第四常開接続リンクと、からなり、前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の前記第二常開接続リンクが接続し、前記シフトレジスタｉの入力端と出力端とが前記縦列リンクから切断され、前記シフトレジスタｊが故障した場合、前記シフトレジスタｊの入力端と前記第二バックアップシフトレジスタの入力端との間の前記第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断されることが好ましい。
【００１５】
また、本発明のゲートドライバの修復方法は、前記バックアップシフトレジスタモジュールが、更に、少なくとも奇数番号付けされたバックアップシフトレジスタと偶数番号付けされたバックアップシフトレジスタとを有し、前記第一バックアップシフトレジスタは前記奇数番号付けされたバックアップシフトレジスタを有し、前記第二バックアップシフトレジスタが前記偶数番号付けされたバックアップシフトレジスタを有することが好ましく、前記バックアップシフトレジスタモジュールが、更に、複数の奇数番号付けされたバックアップシフトレジスタ及び複数の偶数番号付けされたバックアップシフトレジスタを有し、前記第一バックアップシフトレジスタが前記奇数番号付けされたバックアップシフトレジスタを有し、前記第二バックアップシフトレジスタは前記偶数番号付けされたバックアップシフトレジスタを有することが好ましい。また、本発明のゲートドライバの修復方法は、前記ゲートドライバが、更に、第一パルス信号と第二パルス信号を提供し、前記第二パルス信号は前記第一パルス信号の１８０°後の位相である制御バスを有し、前記第一バックアップシフトレジスタ及び前記シフトレジスタｉが第一クロック信号端と第二クロック信号端とを有し、前記第一クロック信号端が前記第一パルス信号に接続され、前記第二クロック信号端は前記第二パルス信号に接続され、前記第一バックアップシフトレジスタが、前記シフトレジスタｉを置き換えることができ、前記第二バックアップシフトレジスタ及び前記シフトレジスタｊが第一クロック信号端と第二クロック信号端とを有し、前記第一クロック信号端が前記第二パルス信号に接続され、第二クロック信号端は前記第一パルス信号に接続され、前記第二バックアップシフトレジスタが、前記シフトレジスタｊを置き換えることができることが望ましい。
【００１６】
また、本発明は、ディスプレイパネルであって、複数の画素からなる画素の二次元配列と、前記画素に接続される複数のゲートラインを有し、前記ゲートラインが制御信号を前記画素中に提供するディスプレイモジュールと、前記ディスプレイモジュールに設置され、それぞれが複数の信号線を有し、前記ゲートライン中の数本に接続されるゲートラインと、からなり、前記ゲートライン中の少なくとも数個のゲートドライバは、Ｎ個の複数のシフトレジスタを含むシフトレジスタモジュールからなり、前記Ｎは１以上の整数で、前記シフトレジスタのそれぞれは、入力端と出力端とを有し、且つ、前記シフトレジスタは縦列リンクに接続され、第Ｋ番目の前記シフトレジスタであるシフトレジスタＫの入力端は、該シフトレジスタＫの１つ前の順番のシフトレジスタであるシフトレジスタ（Ｋ−１）の出力端に接続され、前記Ｋは前記Ｎより小さい正の整数であるメインシフトレジスタモジュールと、少なくとも第一バックアップシフトレジスタと第二バックアップシフトレジスタとを有するバックアップシフトレジスタモジュールと、からなり、前記Ｎ個のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、前記シフトレジスタｉの入力端と前記第一バックアップシフトレジスタの入力端との間に設置される第一常開接続リンクと、前記シフトレジスタｉの次の順番の（ｉ＋１）番目のシフトレジスタ（ｉ＋１）の入力端と前記第一バックアップシフトレジスタの出力端との間に設置される第二常開接続リンクと、前記Ｎ個のシフトレジスタ中の各シフトレジスタｊは、前記Ｎが奇数の時、前記ｊは２から（Ｎ−１）の偶数の正の整数であり、前記Ｎが偶数の時、前記ｊは２からＮの偶数の正の整数で、前記シフトレジスタｊの入力端と前記第二バックアップシフトレジスタの入力端との間に設置される第三常開接続リンクと、前記シフトレジスタｊの次の順番の（ｊ＋１）番目のシフトレジスタ（ｊ＋１）の入力端と前記第二バックアップシフトレジスタの出力端との間に設置される第四常開接続リンクと、からなり、前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の前記第二常開接続リンクが接続し、前記シフトレジスタｉの入力端と出力端とは前記縦列リンクから切断され、前記シフトレジスタｊが故障した場合、前記シフトレジスタｊの入力端と前記第二バックアップシフトレジスタの入力端との間の第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断されることが好ましい。
【００１７】
また、本発明のディスプレイパネルは、前記バックアップシフトレジスタモジュールが、更に、少なくとも奇数番号付けされたバックアップシフトレジスタと偶数番号付けされたバックアップシフトレジスタを有し、前記第一バックアップシフトレジスタが前記奇数番号付けされたバックアップシフトレジスタを有し、前記第二バックアップシフトレジスタが前記偶数番号付けされたバックアップシフトレジスタを有することが好ましく、また、前記バックアップシフトレジスタモジュールが、更に、複数の奇数番号付けされたバックアップシフトレジスタ及び複数の偶数番号付けされたバックアップシフトレジスタを有し、前記第一バックアップシフトレジスタが前記奇数番号付けされたバックアップシフトレジスタを有し、前記第二バックアップシフトレジスタが前記偶数番号付けされたバックアップシフトレジスタを有することが好ましい。
【００１８】
また、本発明のディスプレイパネルは、更に、第一パルス信号と第二パルス信号とを提供し、前記第二パルス信号が前記第一パルス信号の１８０°後の位相である制御バスを有し、前記第一バックアップシフトレジスタ及び前記シフトレジスタｉが第一クロック信号端と第二クロック信号端とを有し、前記第一クロック信号端が前記第一パルス信号に接続され、前記第二クロック信号端が前記第二パルス信号に接続され、前記第一バックアップシフトレジスタが、前記シフトレジスタｉを置き換えることができ、前記第二バックアップシフトレジスタ及び前記シフトレジスタｊが第一クロック信号端と第二クロック信号端とを有し、前記第一クロック信号端が前記第二パルス信号に接続され、前記第二クロック信号端が前記第一パルス信号に接続され、前記第二バックアップシフトレジスタが、前記シフトレジスタｊを置き換えることができることが望ましい。また、前記ゲートドライバがアモルファスシリコンから形成されることが好ましい。そして、更に、基板を有し、前記画素と前記ゲートドライバとが前記基板上に形成されることが望ましい。
【発明の効果】
【００１９】
本発明により、ＴＦＴ−ＬＣＤパネル中のその他の素子がまず保存もしくは確保される状況下で、メインシフトレジスタモジュールを修復する方法及び装置が提供される。
【発明を実施するための最良の形態】
【００２０】
図３は、本発明の第一実施例によるメインシフトレジスタモジュール及びバックアップシフトレジスタモジュールの回路図である。ゲートドライバ１００は、メインシフトレジスタモジュール１１０とバックアップシフトレジスタモジュール１２０とからなる。メインシフトレジスタモジュール１１０とバックアップシフトレジスタモジュール１２０は並列接続的に設置され、且つ、両者におけるシフトレジスタ（ＳＲ）とバックアップシフトレジスタとの個数は同一である。図３では、両者は６個ずつが示されており、ＳＲ００１ないしＳＲ００６は、第１番目のシフトレジスタがＳＲ００１であり、第６番目のシフトレジスタがＳＲ００６であることを示している。また、これらのメインシフトレジスタモジュール中の各シフトレジスタと横もしくは水平方向に対向するように並列に示されているバックアップシフトレジスタモジュールの中のＳＲ’００１ないしＳＲ’００６は、同様に、第１番目のバックアップシフトレジスタがＳＲ’００１であり、第６番目のバックアップシフトレジスタがＳＲ’００６であることを示している。ここで、前記メインシフトレジスタモジュール及び前記バックアップシフトレジスタモジュールの各々のシフトレジスタが７個以上、すなわち第７番目以上有していてもよい。
【００２１】
バックアップシフトレジスタモジュール１２０中の各バックアップシフトレジスタの出力端は、各常開式リンクにより、それぞれ次の順番のバックアップシフトレジスタに直列接続される。一方、メインシフトレジスタモジュール１１０中の各シフトレジスタも互いに直列接続され、各シフトレジスタの出力端は次の順番のシフトレジスタの入力端に電気的に接続される。制御バスからの制御信号は負電圧Ｖｓｓ、スタートパルス信号Ｖｓｔ、クロック信号（第一パルス信号）Ｖｃｋ及び逆クロック信号（第二パルス信号）ｘＶｃｋを有する。そして、この制御信号はメインシフトレジスタモジュールとバックアップシフトレジスタモジュールとを通過する。Ｖｓｔ信号線はメインシフトレジスタモジュール１１０中の第一シフトレジスタ（図３における一番上に設けられた第１番目のシフトレジスタＳＲ００１）の入力端（Ｉｎ）に接続される。また、各シフトレジスタ及び各バックアップシフトレジスタは、それぞれ、入力端（Ｉｎ）、出力端（Ｏｕｔ）、電源端（Ｖｓ）、第一クロック信号端（Ｃｋ１）及び第二クロック信号端（Ｃｋ２）を有する。
【００２２】
メインシフトレジスタモジュール１１０とバックアップシフトレジスタモジュール１２０との間の相互接続（ｉｎｔｅｒｃｏｎｎｅｃｔｉｏｎ）は、各バックアップシフトレジスタの入力端を、常開式リンクにより、メインシフトレジスタモジュール中の対応するシフトレジスタの入力端に接続させる。
一般的な操作の場合、全てのバックアップシフトレジスタは出力がない。これは、バックアップシフトレジスタとメインシフトレジスタモジュール中のシフトレジスタとの間のリンクが全て開いているからであり、図３ないし図７では、このリンクが開いている状態を白丸印により表示している。
【００２３】
メインシフトレジスタモジュール１１０が正常に作動している場合、バックアップシフトレジスタは作動しない。しかし、メインシフトレジスタモジュール１１０中の一つ或いは複数のシフトレジスタが故障した場合、その故障したシフトレジスタは迂回されて、バックアップシフトレジスタモジュール１２０中の対応するバックアップシフトレジスタにより置き換えられる。これは、故障したシフトレジスタをその対応するバックアップシフトレジスタに接続することにより達成される。
【００２４】
例えば、図４は、メインシフトレジスタモジュール１１０中の第３番目のシフトレジスタである第三シフトレジスタ（図４中の斜線を付したシフトレジスタ）ＳＲ００３が故障した場合を示している。尚、この図４を含め、後述する図６及び図７において、故障したシフトレジスタを、故障シフトレジスタともいうこととする。ＳＲ００３の入力端と出力端は、それぞれ、縦列リンクの点１（図４において太線を描いて、番号１を付した箇所）及び点２（図４において太線を描いて、番号２を付した箇所）において切断され、縦列リンク中から除かれる。
【００２５】
同時に、メインシフトレジスタモジュール１１０中のそのＳＲ００３よりも１つ前の第２番目に配置されたシフトレジスタＳＲ００２の出力端は、点３と点４（いずれも図４における二重丸印の箇所）とを電気的に接続することにより、故障したシフトレジスタＳＲ００３に対応するバックアップシフトレジスタＳＲ’００３の入力端に接続される。この他、バックアップシフトレジスタＳＲ’００３の出力信号は、点５（図４における二重丸印の箇所）を電気的に接続することにより、メインシフトレジスタモジュール１１０におけるＳＲ００３の次の順番の第４番目に配置されたシフトレジスタＳＲ００４に接続される。点３、点４及び点５の電気的接続法としてはそれぞれ、溶接（ｗｅｌｄｉｎｇ）或いは類似の方法が可能である。
【００２６】
同時に、例えば、シフトレジスタＳＲ００３に対応するバックアップシフトレジスタＳＲ’００３とその前の順番のバックアップシフトレジスタＳＲ’００２との間は、切断（ｃｕｔｔｉｎｇ）の方法により切断される。溶接と切断との方法により、メインシフトレジスタモジュール１１０中の故障シフトレジスタは、対応するバックアップシフトレジスタにより置き換えることができる。メインシフトレジスタモジュール１１０中の故障シフトレジスタの個数は１個或いは複数個である。事実上、メインシフトレジスタモジュール１１０中の全てのシフトレジスタは、対応するバックアップシフトレジスタモジュール１２０により置き換えることができる。
【００２７】
図５は、本発明の第二実施例によるメインシフトレジスタモジュール及びバックアップシフトレジスタモジュールの回路図である。ゲートドライバ１００’は、メインシフトレジスタモジュール１１０とバックアップシフトレジスタモジュール１３０からなる。バックアップシフトレジスタモジュール１３０中のバックアップシフトレジスタの個数は、メインシフトレジスタモジュール１１０中のシフトレジスタの個数より少ない。よって、基板上において、バックアップシフトレジスタモジュール１３０はメインシフトレジスタモジュール１１０より占有する空間が小さいことになる。つまり、占有空間が小さいバックアップシフトレジスタモジュールを応用することにより、ＴＦＴ−ＬＣＤパネルの総面積（ｆｏｏｔｐｒｉｎｔ）を縮小することができる。
【００２８】
図５で示される第二実施例中、１個のバックアップシフトレジスタＲ１と別の１個のバックアップシフトレジスタＲ２の合計２個のバックアップシフトレジスタは、メインシフトレジスタモジュール１１０中の合計６個のシフトレジスタ（第１番目に配置されるシフトレジスタのＳＲ００１ないし第６番目に配置されるシフトレジスタのＳＲ００６）をバックアップすることができる。メインシフトレジスタモジュール１１０中の合計６個のシフトレジスタと合計２個のバックアップシフトレジスタＲ１、Ｒ２は制御バスに並列接続される。
【００２９】
ここで、メインシフトレジスタモジュールのシフトレジスタが合計７個以上、すなわち第７番目以上を有していてもよく、バックアップシフトレジスタモジュールのバックアップシフトレジスタが合計３個以上、すなわち第３番目以上を有していてもよい。但し、バックアップシフトレジスタの合計数はシフトレジスタの合計数よりも少なくする。しかし、クロック信号ＶｃｋがＲ２のＣｋ２端、Ｒ１のＣｋ１端とメインシフトレジスタモジュール１１０中の全ての奇数番号付けされたシフトフトレジスタに供給され、逆クロック信号ｘＶｃｋはＲ２のＣｋ１端、Ｒ１のＣｋ２端とメインシフトレジスタモジュール１１０中の全ての偶数番号付けされたシフトレジスタに供給される。
【００３０】
図５で示されるように、二本のローカルバスラインＡとＢは、バックアップシフトレジスタモジュール１３０中に設置される。Ｒ１の入力端（Ｉｎ）とＲ２の出力端（Ｏｕｔ）は、ローカルバスラインＡに接続され、且つ、Ｒ１の出力端（Ｏｕｔ）とＲ２の入力端（Ｉｎ）はローカルバスラインＢに接続される。これにより、メインシフトレジスタモジュール１１０中の故障した奇数番号付けされたシフトレジスタはＲ１により置き換えることができ、故障した偶数番号付けされたシフトレジスタはＲ２により置き換えることができる。しかし、メインシフトレジスタモジュール１１０中の故障シフトレジスタだけが置き換えられる。この他、ローカルバスラインＡとメインシフトレジスタモジュール１１０中の各奇数番号付けされたシフトレジスタの入力端間に第一常開式リンクを有し、ローカルバスラインＢとメインシフトレジスタモジュール１１０中の各偶数番号付けされたシフトレジスタの入力端間は第二常開式リンクを有する。
【００３１】
一般的な操作の場合、バックアップシフトレジスタモジュール１３０とメインシフトレジスタモジュール１１０との間は接続がなく、その間のリンクは常に開放されている常開の状態であるため、白丸により表示する。しかし、メインシフトレジスタモジュール中の１つのシフトレジスタが故障した場合、この故障したシフトレジスタ（もしくは以下、故障シフトレジスタともいう）は迂回され、バックアップシフトレジスタモジュール中の対応するシフトレジスタにより置き換えられる。
【００３２】
図６で示されるように、故障シフトレジスタが奇数番号付けされたシフトレジスタ、例えば、第３番目に配置された第三シフトレジスタＳＲ００３である場合、ＳＲ００３の入力端と出力端はそれぞれ、縦列リンクの点１１、点１２（いずれも図６において太線を描いて、番号１１及び１２をそれぞれ付した箇所））から切断され、縦列リンク中から切断される。同時に、それよりも前の第２番目に配置されたシフトレジスタＳＲ００２の出力端はローカルバスラインＡにより、バックアップシフトレジスタＢ１の入力端（Ｉｎ）に電気的に接続され、且つ、ＳＲ００３の次のシフトレジスタＳＲ００４の入力端は、ローカルバスラインＢにより、Ｂ１の出力端（Ｏｕｔ）に電気的に接続される。電気的接続は、それぞれ、点１５及び点１６の溶接（いずれも図６において二重丸印を描いて、番号１５及び１６をそれぞれ付した箇所）により得られる。この他、バックアップシフトレジスタＢ１とＢ２との間の接続は、ローカルバスラインＡ上の点１３とローカルバスラインＢ上の点１４の切断により切断される。
【００３３】
図７で示されるように、故障シフトレジスタが偶数番号付けされたシフトレジスタ、例えば、メインシフトレジスタモジュール中の第４番目に配置された第四シフトレジスタＳＲ００４である場合、ＳＲ００４の入力端と出力端は、それぞれ、点３１と点３２（いずれも図７において太線を描いて、番号３１及び３２をそれぞれ付した箇所））から切断され、縦列リンクから切断される。同時に、その前に配置されたシフトレジスタＳＲ００３の出力端はバスラインＢにより、Ｂ２の入力端（Ｉｎ）に電気的に接続され、且つ、次のシフトレジスタＳＲ００５の入力端は、ローカルバスラインＡにより、Ｂ２の出力端（Ｏｕｔ）に電気的に接続される。電気的接続は、それぞれ、点３５及び３６の溶接（いずれも図７において二重丸印を描いて、番号３５及び３６をそれぞれ付した箇所）により得られる。この他、Ｂ１とＢ２との間の接続は、ローカルバスラインＡ上の点３３とバスラインＢ上の点３４の切断により切断される。
【００３４】
図５ないし図７で示されるように、二つの相互接続されたシフトレジスタは、メインシフトレジスタモジュール中の故障シフトレジスタを置き換えることができる。メインシフトレジスタモジュール中の更に多くの故障シフトレジスタを置き換えるために、バックアップシフトレジスタモジュール中に更に多くのバックアップシフトレジスタペアを提供することができる。各バックアップシフトレジスタのペアの入力端と出力端（例えば、図７においては、Ｂ１とＢ２とが一対のバックアップシフトレジスタの一対を形成している。この一対のＢ１とＢ２の各入力端と出力端とをいう。）は、ローカルバスラインのペア（例えば、図７においては、ローカルバスラインのＡとＢとが一対を形成している。）に接続され、図５ないし図７には図示されない一対以上の複数のバックアップシフトレジスタのペアは一対のローカルバスラインを共用する。
【００３５】
本発明のゲートドライバは、ディスプレイパネルに適用し、Ｎ個の複数のシフトレジスタを有し、前記Ｎは１以上の整数であり、前記シフトレジスタのそれぞれは、入力端と出力端とを有し、且つ、前記シフトレジスタは縦列リンクに接続され、第Ｋ番目の前記シフトレジスタであるシフトレジスタＫの入力端は該シフトレジスタＫの前の順番のシフトレジスタであるシフトレジスタ（Ｋ−１）の出力端に接続され、前記ＫはＮより小さい正の整数である前記各シフトレジスタを含むメインシフトレジスタモジュールと、少なくとも第一バックアップシフトレジスタと第二バックアップシフトレジスタを有するバックアップシフトレジスタモジュールと、からなり、前記Ｎ個からなる複数のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、前記シフトレジスタｉの入力端と前記第一バックアップシフトレジスタの入力端との間に設置される第一常開接続リンクと、前記シフトレジスタｉの次の順番の第（ｉ＋１）番目のシフトレジスタ（ｉ＋１）の入力端と前記第一バックアップシフトレジスタの出力端との間に設置される第二常開接続リンクと、前記Ｎシフトレジスタ中の各シフトレジスタｊは、前記Ｎが奇数の時、前記ｊは２から（Ｎ−１）の偶数の正の整数で、前記Ｎが偶数の時、前記ｊは２からＮの偶数の正の整数で、前記シフトレジスタｊの入力端と前記第二バックアップシフトレジスタの入力端との間に設置される第三常開接続リンクと、前記シフトレジスタ（ｊ＋１）の入力端と前記第二バックアップシフトレジスタの出力端との間に設置される第四常開接続リンクと、からなり、前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の第二常開接続リンクが接続し、シフトレジスタｉの入力端と出力端とが前記縦列リンクから切断され、前記シフトレジスタｊが故障した場合、前記シフトレジスタｊの入力端と前記第二バックアップシフトレジスタの入力端との間の前記第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断される。
【００３６】
本発明は、ディスプレイパネルに適用するゲートドライバの修復方法も提供し、ゲートドライバは、Ｎ個の複数のシフトレジスタを含むシフトレジスタモジュールからなり、前記Ｎは１以上の整数で、前記シフトレジスタのそれぞれは、入力端と出力端とを有し、且つ、前記シフトレジスタは縦列リンクに接続され、第Ｋ番目の前記シフトレジスタであるシフトレジスタＫの入力端は、該シフトレジスタＫの１つ前の順番のシフトレジスタであるシフトレジスタ（Ｋ−１）の出力端に接続され、前記Ｋは前記Ｎより小さい正の整数であり、前記ゲートドライバの修復方法は、以下の工程を含む。
【００３７】
１）バックアップシフトレジスタモジュールと前記シフトレジスタモジュールとを接続し、前記バックアップシフトレジスタモジュールは、少なくとも第一バックアップシフトレジスタと第二バックアップシフトレジスタとを有し、前記Ｎ個のシフトレジスタ中の各シフトレジスタｉは、前記Ｎが奇数の時、前記ｉは１からＮの奇数の正の整数で、前記Ｎが偶数の時、前記ｉは１から（Ｎ−１）の奇数の正の整数で、前記シフトレジスタｉの入力端と前記第一バックアップシフトレジスタの入力端との間に設置される第一常開接続リンクと、前記シフトレジスタｉの次の順番の（ｉ＋１）番目のシフトレジスタ（ｉ＋１）の入力端と前記第一バックアップシフトレジスタの出力端との間に設置される第二常開接続リンクと、
前記Ｎ個のシフトレジスタ中の各シフトレジスタｊは、前記Ｎが奇数の時、前記ｉは２から（Ｎ−１）の偶数の正の整数で、前記Ｎが偶数の時、前記ｊは２からＮの偶数の正の整数で、前記シフトレジスタｊの入力端と前記第二バックアップシフトレジスタの入力端との間に設置される第三常開接続リンクと、前記シフトレジスタｊの次の順番の（ｊ＋１）番目のシフトレジスタ（ｊ＋１）の入力端と前記第二バックアップシフトレジスタの出力端との間に設置される第四常開接続リンクとからなる。
【００３８】
２）前記シフトレジスタｉが故障した場合、前記シフトレジスタｉの入力端と前記第一バックアップシフトレジスタの入力端との間の前記第一常開接続リンクが接続し、前記シフトレジスタ（ｉ＋１）の入力端と前記第一バックアップシフトレジスタの出力端との間の前記第二常開接続リンクが接続し、前記シフトレジスタｉの入力端と出力端とが前記縦列リンクから切断され、前記シフトレジスタｊが故障した場合、前記シフトレジスタｊの入力端と前記第二バックアップシフトレジスタの入力端との間の前記第三常開接続リンクが接続し、前記シフトレジスタ（ｊ＋１）の入力端と前記第二バックアップシフトレジスタの出力端との間の前記第四常開接続リンクが接続し、前記シフトレジスタｊの入力端と出力端とは前記縦列リンクから切断される。
【００３９】
本発明では好ましい実施例を前述の通り開示したが、これらは決して本発明に限定するものではなく、当該技術を熟知する者なら誰でも、本発明の精神と領域を脱しない範囲内で各種の変更を加えることができ、従って本発明の保護範囲は、特許請求の範囲で指定した内容を基準とする。
【図面の簡単な説明】
【００４０】
【図１】従来のＴＦＴ−ＬＣＤディスプレイを示す図である。
【図２ａ】従来のゲートドライバ回路中のシフトレジスタを示す図である。
【図２ｂ】Ｖｃｋ、ｘＶｃｋ、Ｖｓｔ、及び、シフトレジスタ出力の信号波形図である。
【図３】本発明の第一実施例によるメインシフトレジスタモジュール及びバックアップシフトレジスタモジュールの回路図である。
【図４】本発明の第一実施例による、メインシフトレジスタモジュール中の故障シフトレジスタが、バックアップシフトレジスタモジュール中のシフトレジスタにより置き換えられることを示す回路図である。
【図５】本発明の第二実施例によるバックアップシフトレジスタモジュール及びメインシフトレジスタモジュールの回路図である。
【図６】本発明の第二実施例による、メインシフトレジスタモジュール中の奇数故障シフトレジスタが、バックアップシフトレジスタモジュール中のバックアップシフトレジスタにより置き換えられることを示す回路図である。
【図７】本発明の第二実施例による、メインシフトレジスタモジュール中の偶数故障シフトレジスタが、バックアップシフトレジスタモジュール中のバックアップシフトレジスタにより置き換えらことを示す回路図である。
【符号の説明】
【００４１】
１０  ＴＦＴ−ＬＣＤパネル
２０  ディスプレイモジュール
２１  画素
Ｄ１−Ｄｎ  データライン
Ｇ１−Ｇｍ  ゲートライン
３０  データソースドライバ
４０  ゲートドライバ
５０  プリント回路基板
５２  制御バス
７０  シフトレジスタモジュール
Ｖｓｓ  負電圧
Ｖｓｔ  スタートパルス信号
Ｖｃｋ  クロック信号
ｘＶｃｋ  逆クロック信号
Ｉｎ  入力端
Ｏｕｔ  出力端
Ｖｓ  電源端
Ｃｋ１  第一クロック信号端
Ｃｋ２  第二クロック信号端
ＳＲ００１−ＳＲ００６  シフトレジスタ
１００、１００’  ゲートドライバ
１１０  メインシフトレジスタモジュール
１２０、１３０  バックアップシフトレジスタモジュール
Ｒ１、Ｒ２、Ｂ１、Ｂ２  バックアップシフトレジスタ
Ａ、Ｂ  ローカルバスライン
【図１】
2007114761.tif 000003
【図２ａ】
2007114761.tif 000004
【図２ｂ】
2007114761.tif 000005
【図３】
2007114761.tif 000006
【図４】
2007114761.tif 000007
【図５】
2007114761.tif 000008
【図６】
2007114761.tif 000009
【図７】
2007114761.tif 000010